(57)【要約】【課題】  燃焼用空気の均等な供給を可能とする。【解決手段】  バーナケース２の底板６における連結筒７の連結部分には、底板６の切り起こし形成によって、底板６の短手方向に長い矩形状の燃焼用空気の導入口９，９・・が、バーナケース２の長手方向へ等間隔で複数並設されている。また、各導入口９を形成する切り起こし部１０，１０・・は、連結筒７の下隅に近い部分を中心として、空気室５へ向けて放射状に拡がるように、夫々底板６に対する所定の角度で折曲されている。よって、燃焼用空気は、連結筒７から導入口９，９・・を通過する際に、切り起こし部１０，１０・・の案内によって空気室５内に拡散しながら導入され、空気室５内へ万遍なく供給される。【選択図】  図１
2005180827.tif 000002
【特許請求の範囲】
【請求項１】
箱状のバーナケース内にバーナを収容して、前記バーナケースの底部に空気室を形成する一方、前記バーナケースの底板に、前記空気室と連通する燃焼用空気の導入口を形成すると共に、その導入口に向けてファンを連結した燃焼装置であって、
前記導入口を、前記底板における複数箇所の切り起こし形成によって複数並設し、前記切り起こし形成によって得られる複数の切り起こし部に、前記ファン側から前記空気室へ向けて前記底板に対する所定の角度を夫々付与したことを特徴とする燃焼装置。
【請求項２】
箱状のバーナケース内にバーナを収容して、前記バーナケースの底部に空気室を形成する一方、前記バーナケースの底板に、前記空気室と連通する燃焼用空気の導入口を形成すると共に、その導入口に向けてファンを連結した燃焼装置であって、
前記導入口を、前記バーナケースの底板に形成した複数の開口により構成すると共に、前記ファンと底板との連結部を、前記ファン側から前記底板側へ行くに従って広くなる拡開形状としたことを特徴とする燃焼装置。
【発明の詳細な説明】
【技術分野】
【０００１】
本発明は、バーナを収容するバーナケースに、バーナの燃焼用空気を供給するファンを連結した燃焼装置に関する。
【背景技術】
【０００２】
燃焼装置は、例えば特許文献１，２に示すように、上方を開口する箱状のバーナケース内にバーナを収容して、バーナケースの底部に空気室を形成する一方、バーナケースの底板に、燃焼用空気の導入口を形成すると共に、ファンを連結して、ファンから空気室内に燃焼用空気を供給可能としている。なお、バーナケースの上方には、加熱対象である熱交換器等が設置されて、熱交換器とバーナとの間に燃焼室が形成可能となっている。
【０００３】
【特許文献１】特開平８−３５６５１号公報
【特許文献２】特許第３０７２２１３号公報
【発明の開示】
【発明が解決しようとする課題】
【０００４】
上記燃焼装置において、バーナケースの底板には、１つの導入口が開口形成されているのみであるから、ファンから送られる燃焼用空気は導入口際に集中し、バーナ全体に均等に分布しにくい。このため、バーナの底板側やファン側に、燃焼用空気を他のエリアに導く分布板を設ける必要が生じ、部品点数や組付けの手間が増加してコストアップに繋がっている。
【０００５】
そこで、請求項１及び２に記載の発明は、簡単な構成で、バーナへの燃焼用空気の均等な供給が可能となる燃焼装置を提供することを目的としたものである。
【課題を解決するための手段】
【０００６】
上記目的を達成するために、請求項１に記載の発明は、前記導入口を、バーナケースの底板における複数箇所の切り起こし形成によって複数並設し、その切り起こし形成によって得られる複数の切り起こし部に、ファン側から空気室へ向けて底板に対する所定の角度を夫々付与したことを特徴とするものである。
上記目的を達成するために、請求項２に記載の発明は、前記導入口を、バーナケースの底板に形成した複数の開口により構成すると共に、ファンと底板との連結部を、ファン側から底板側へ行くに従って広くなる拡開形状としたことを特徴とするものである。
【発明の効果】
【０００７】
請求項１及び２に記載の発明によれば、燃焼用空気の導入口を、バーナケースの底板に複数の開口を直接形成したものとしたため、別途分布板等を必要とせず、また、部品点数や組付けの手間が増加することがなく、バーナケースの底板を切り起こし形成する、或いはファンの連結部の形状を変更する簡単な構成で燃焼用空気の均等な分布が可能となる。
【発明を実施するための最良の形態】
【０００８】
以下、本発明の実施の形態を図面に基づいて説明する。
《形態１》
図１は、給湯器に設けられる燃焼装置の一例を示す断面説明図で、燃焼装置１は、バーナケース２と、そのバーナケース２の内部に収容されるバーナユニット３と、バーナケース２の底部に連結されるファン４とからなる。バーナケース２は、プレス成形された金属板を折曲形成した横長箱状を呈し、全面を開放した上方に図示しない熱交換器を連結して、バーナユニット３との間に燃焼室を形成可能とする一方、バーナケース２の底部に空気室５を形成している。
また、バーナユニット３内には、図示しない偏平なブンゼン燃焼式のメインバーナが所定間隔をおいて並設されており、各メインバーナには、図示しないガスノズルから燃料ガスが供給されるようになっている。
【０００９】
一方、バーナケース２の底板６には、上方を開口した三角箱状の連結筒７が固着されており、この連結筒７にファン４の排気口８が連結されることで、ファン４はバーナケース２の底板６に対して傾斜状に連結されている。
そして、底板６における連結筒７の連結部分には、底板６の切り起こし形成によって、底板６の短手方向に長い矩形状の燃焼用空気の導入口９，９・・が、バーナケース２の長手方向へ等間隔で複数並設されている。また、各導入口９を形成する切り起こし部１０，１０・・は、連結筒７の下隅に近い部分を中心として、そこから空気室５へ向けて放射状に拡がるように、夫々底板６に対する所定の角度で折曲されている。よって、ここでの切り起こし部１０，１０・・は、各導入口９における連結筒７の下隅に近い側の端縁で繋がるように形成され、その角度は、底板６の長手方向で中央から両側に行く程底板６に対して小さくなっている。
【００１０】
以上の如く構成された燃焼装置１においては、ファン４が回転して燃焼用空気が排気口８から排出されると、燃焼用空気は、連結筒７から導入口９，９・・を通過する際に、切り起こし部１０，１０・・の案内によって空気室５内に拡散しながら導入されることになる。よって、燃焼用空気は空気室５内へ万遍なく供給され、バーナユニット３における各メインバーナの好適な燃焼が確保できる。
【００１１】
このように上記形態の燃焼装置１によれば、導入口９を、底板６における複数箇所の切り起こし形成によって複数並設し、その切り起こし形成によって得られる複数の切り起こし部１０を、ファン４側から空気室５へ向けて放射状となるように底板６に対して夫々所定の角度を付与したことで、部品点数や組付けの手間が増加することがなく、バーナケース２の底板６を切り起こし形成する簡単な構成で燃焼用空気の均等な分布が可能となる。
【００１２】
なお、導入口及び切り起こし部の形状は、上記形態に限定するものではなく、底板の短手方向に複数並設することもできるし、導入口を同心円上に配置して切り起こし部を放射状に形成することもできる。また、上記形態では、ファンの排気口がバーナケースの底板に対して傾斜状となるように連結されているため、切り起こし部は左側への傾斜が多い左右非対称の配置となっているが、排気口が底板に対して直交する姿勢で連結された場合は、切り起こし部は、排気口を中心とした放射状となるため、傾斜が左右対称となる配置で形成される。さらに、切り起こし部の角度は、必ずしも放射状に統一する必要はなく、ファン側から空気室へ向けて燃焼用空気の均等な分布が可能であれば、夫々個別の角度を付与することもできる。
【００１３】
《形態２》
次に、本発明の他の実施の形態を説明する。なお、上記形態１と同じ構成部は同じ符号を付して重複する説明を省略する。
図２に示す燃焼装置１ａにおいて、バーナケース２の底板６には、底板６の短手方向に長い矩形状の導入口１１，１１・・が、バーナケース２の長手方向へ等間隔で複数並設されており、これらの導入口１１，１１・・を下方から覆う格好で底板６に固着される連結部としての連結筒１２は、ファン４の排気口８の連結側から底板６側（上方）へ行くに従って徐々に左右方向へ拡開する台形箱状を呈している。
【００１４】
以上の如く構成された燃焼装置１ａにおいては、ファン４が回転して燃焼用空気が排気口８から排出されると、燃焼用空気は、連結筒１２を通過する際に、連結筒１２の拡開形状によって拡散しながら導入口１１，１１・・を通過することになる。よって、燃焼用空気は空気室５内へ万遍なく供給され、バーナユニット３における各メインバーナの好適な燃焼が確保できる。
このように上記形態２の燃焼装置１ａによっても、導入口１１を、バーナケース２の底板６に複数形成すると共に、ファン４と底板６との連結部となる連結筒１２を、ファン４側から底板６側へ行くに従って広くなる拡開形状としたことで、部品点数や組付けの手間が増加することがなく、ファン４の連結筒１２の形状を変更する簡単な構成で燃焼用空気の均等な分布が可能となる。
【００１５】
なお、上記形態では、連結部としてファンと別体の連結筒を採用しているが、ファンの排気口自体を拡開形状としてバーナケースの底板に直接連結する形態でも差し支えない。また、台形箱状に限らず、側面がテーパとなる円筒形状も採用可能である。
【図面の簡単な説明】
【００１６】
【図１】形態１の燃焼装置の断面説明図である。
【図２】形態２の燃焼装置の断面説明図である。
【符号の説明】
【００１７】
１，１ａ‥燃焼装置、２‥バーナケース、３‥バーナユニット、４‥ファン、５‥空気室、６‥底板、７，１２‥連結筒、８‥排気口、９，１１‥導入口、１０‥切り起こし部。
【図１】
2005180827.tif 000003
【図２】
2005180827.tif 000004